(57)【特許請求の範囲】
【請求項１】
カウンターの上方に配置された既設の給水口からカウンターの下方に配置された給湯器に水を供給して給湯器からの湯が供給される湯室と、給水口からの水が供給される水室とを有し、前記湯室と前記水室とに供給された湯水を混合して吐水可能とされカウンターを貫通するように固定される水栓において、
前記水室と連通すると共にカウンターの上側に開口し、第一接続管により給水口と接続される第一接続口と、
前記水室と連通すると共にカウンターの下側に開口し、第二接続管により給湯器の入水口と接続される第二接続口と
を具備することを特徴とする水栓。
【請求項２】
前記第一接続口は、カウンターの上側に露出して配置されることを特徴とする請求項１に記載の水栓。
【請求項３】
前記第一接続口と前記第二接続口とは、同一軸線上に開口したことを特徴とする請求項１又は請求項２に記載の水栓。
【発明の詳細な説明】
【技術分野】
【０００１】
本発明は、水栓に関するもので、特に、カウンターの上方に給水口が、カウンターの下方に給湯器が夫々配置され、カウンターに固定されると共に給水口と給湯器とに接続される水栓に関するものである。
【背景技術】
【０００２】
従来、図４に示すように、浴室や台所等において、リフォーム等により、カウンター５０を設けると共に、その下側に給湯器５１を配置する場合、カウンター５０に固定された水栓５２に水や給湯器５１からの湯が供給されるように、給湯器５１及び水栓５２に夫々水を供給する必要があるが、水を供給するための給水口５３がカウンターの上方の壁５４に配置されている場合は、給水口５３に接続された供給管５５を、カウンター５０の上側から下側へ貫通孔５７を通して貫通させ、カウンター５０の下側において分岐栓５６により、水栓側と給湯器側とに分岐させ、水栓５２と給湯器５１とに夫々接続していた。
【０００３】
上記の背景技術は、当業者においては一般によく知られた技術であり、以上の技術情報が記載されている文献を特に知見していない。
【発明の開示】
【発明が解決しようとする課題】
【０００４】
しかしながら、従来では、カウンター５０に、水栓５２を取付け固定するための取付孔５０ａとは別に、給水口５３に接続される供給管５５を通すための貫通孔５７を穿設する必要がある。また、分岐栓５６を用いると共に、分岐栓５６と水栓５２及び給湯器５１とを夫々所定の配管で接続しなければならず、手間が多くなり施工性が悪くなっていた。また、分岐栓５６や配管等の部品点数が多く、コスト高となっていた。
【０００５】
そこで、本願発明は、上記の実状に鑑み、カウンターの上方に給水口が、下方に給湯器が夫々配置され、カウンターに固定される水栓において、給水口と水栓及び給湯器との接続を簡略化すると共に、施工性を向上させることのできる水栓の提供を課題とするものである。
【課題を解決するための手段】
【０００６】
上記の課題を解決するために、本発明に係る水栓は、
「カウンターの上方に配置された既設の給水口からカウンターの下方に配置された給湯器に水を供給して給湯器からの湯が供給される湯室と、給水口からの水が供給される水室とを有し、前記湯室と前記水室とに供給された湯水を混合して吐水可能とされカウンターを貫通するように固定される水栓において、
前記水室と連通すると共にカウンターの上側に開口し、第一接続管により給水口と接続される第一接続口と、
前記水室と連通すると共にカウンターの下側に開口し、第二接続管により給湯器の入水口と接続される第二接続口とを具備する」ことを特徴とする。
【０００７】
ここで、「第一接続口」及び「第二接続口」としては、「ねじ結合により接続管と接続できるもの」、「カプラ等の公知の結合方法によりワンタッチで接続管と接続できるもの」、等を例示することができる。
【０００８】
また、「水栓」としては、「シングルレバー式混合水栓」、「ツーハンドル式混合水栓」、「サーモ式混合水栓」等を例示することができる。また、それらの水栓として、「本体がカウンターの上側に配置されて露出する一般的な水栓」、「本体がカウンターの下側或いは内部に配置される埋込式水栓」、等とすることができる。
【０００９】
本発明によると、水栓に、その水室と夫々連通する第一接続口と第二接続口が、カウンターの上側と下側に夫々開口するように備えられているものである。これにより、第一接続口と給水口とを第一接続管により接続すると共に、第二接続口と給湯器の入水口とを第二接続管により接続することで、給水口からの水を、第一接続管を介して水栓の水室に供給し、続いて水栓の水室から第二接続管を介して給湯器に供給することができる。従って、水栓を介して、カウンター上方の給水口から、カウンターに固定された水栓と、カウンター下方の給湯器に水を供給することができるので、カウンターに給水口に接続される供給管を通すための貫通孔を穿設しなくても良く、水栓の施工にかかる手間を簡略化することができる。
【００１０】
また、従来と比較して分岐栓等を廃止することができるので、施工にかかる部品点数を少なくすることができ、手間とコストを低減させることができる。また、水栓を介して接続するので、全体的に接続管（供給管）を短くすることができ、接続管にかかるコストを低減させることができると共に、カウンターの下側が接続管等で煩雑な感じとなるのを防止することができる。
【００１１】
なお、水栓としては、本体がカウンターの上側に露出して配置されるものとすることが望ましく、これにより、第一接続口を配置するスペースを確保し易く、第一接続口を容易に備えることができる。
【００１２】
本発明に係る水栓は、上記の構成に加えて、
「前記第一接続口は、カウンターの上側に露出して配置される」ことを特徴とする。
【００１３】
本発明によると、第一接続口がカウンターの上側に露出して配置されるので、これにより、第一接続口を配置するスペースを確保し易く、第一接続口を容易に備えることができる。また、第一接続管による接続作業を容易にすることができる。
【００１４】
本発明に係る水栓は、上記の構成に加えて、
「前記第一接続口と前記第二接続口とは、同一軸線上に開口した」ことを特徴とする。
【００１５】
本発明によると、第一接続口と第二接続口とを同一軸線上に配置したものである。これにより、水栓に対して、第一接続口と第二接続口を加工する際に、両接続口を同時に加工することができ、接続口の加工を容易にすることができる。
【発明の効果】
【００１６】
上記のように、本発明によると、カウンターの上方に給水口が、下方に給湯器が夫々配置され、カウンターに固定される水栓において、給水口と水栓及び給湯器との接続を簡略化すると共に、施工性を向上させることのできる水栓を提供することができる。
【発明を実施するための最良の形態】
【００１７】
以下、本発明に係る水栓の一実施形態について、図１及び図２に基づいて詳細に説明する。図１は、本発明の一実施形態である水栓をカウンターに取付けた状態で示す正面図である。図２は、図１における水栓の一部を切欠くと共に拡大して示す拡大正面図である。
【００１８】
本実施形態の水栓１は、図１に示すように、カウンター２を貫通するように固定される形態のものであって、特に、リフォーム等によって、壁３に配置された既設の給水口４よりも下方にカウンター２を配置し、更にその下方に給湯器５が配置されるカウンター２に取付固定するのに最適な形態のものであり、給水口４からの水と給湯器５からの湯とを混合して吐水することのできるシングルレバー式混合水栓である。
【００１９】
具体的には、本例の水栓１は、カウンター２の上側に載置される本体部６と、本体部６からカウンター２の取付孔７を貫通するように下方に延出し給湯器５の入水口８と接続される水接続部９と、給湯器５の出湯口１０と接続される湯接続部１１と、本体部６に供給された湯及び水の混合比率と吐水量を調節する混合弁機構（図示しない）を操作する操作部１２と、操作部１２の操作により混合水を吐水する吐水口（図示は省略するが、本例ではシャワーヘッドとされている）とを主に備えている。
【００２０】
水栓１における、水接続部９及び湯接続部１１は、夫々その外周に雄ねじが形成された円筒形状とされている。この水接続部９及び湯接続部１１をカウンター２の取付孔７に上側から挿通させた上で、所定のナット１３を水接続部９及び湯接続部１１に螺合させ、ナット１３と本体部６とによりカウンター２を挟持することで、水栓１をカウンター２に取付固定できるようになっている。
【００２１】
この水接続部９及び湯接続部１１の下端には、水供給管１４及び湯供給管１５が夫々接続されていると共に、水供給管１４及び湯供給管１５の他端が給湯器５の入水口８及び出湯口１０に夫々接続されている。
【００２２】
図２に示すように、水栓１における本体部６の内部には、給湯器５からの湯が供給される湯室１６と、給水口４からの水が供給される水室１７とを有しており、これら湯室１６及び水室１７の下側に湯接続部１１及び水接続部９が夫々備えられている。これにより、湯室１６が湯接続部１１及び湯供給管１５を介して給湯器５の出湯口１０と連通すると共に、水室１７が水接続部９及び水供給管１４を介して給湯器５の入水口８に連通している。
【００２３】
更に、水栓１の本体部６には、その上部に水室１７と連通する上部接続部１８を備えている。この上部接続部１８は、一端が壁３に配置された既設の給水口４に接続される給水管１９の他端と接続できるようになっており、この上部接続部１８に給水管１９を接続することで、給水管１９を介して給水口４と上部接続部１８つまり水室１７とが連通するようになっている。なお、図示するように、本例では、水接続部９と上部接続部１８とが、同一軸線上となるように夫々配置されている。
【００２４】
なお、本例では、水供給管１４、湯供給管１５、及び給水管１９が、夫々可撓性のあるフレキシブル管とされている。また、本例の水接続部９が本発明の第二接続口に、本例の水供給管１４が本発明の第二接続管に、本例の上部接続部１８が本発明の第一接続口に、及び本例の給水管１９が本発明の第一接続管に夫々相当している。
【００２５】
次に、本実施形態における給水口４から水の流れについて説明する。水栓１をカウンター２上に取付固定し、水供給管１４、湯供給管１５、及び給水管１９の一端を、給湯器５の入水口８、給湯器５の出湯口１０、及び給水口４に夫々接続すると共に、他端を、水栓１の水接続部９、湯接続部１１、及び上部接続部１８に夫々接続する。この状態で、カウンター２の上方に配置された給水口４から供給された水は、給水管１９を介して上部接続部１８から水栓１の水室１７に供給された上で、水接続部９及び水供給管１４を介してカウンター２の下方に配置された給湯器５にも供給される。
【００２６】
この給湯器５に供給された水は、給湯器５により温められて湯として出湯口１０から湯供給管１５及び湯接続部１１を介して水栓１の湯室１６へと供給されることとなる。そして、水栓１の操作部１２を操作することで、湯室１６と水室１７とに供給された湯水を混合して図示しないシャワーヘッドから吐水されることとなる。
【００２７】
このように、本実施形態の水栓１によると、水室１７と夫々連通する上部接続部１８と水接続部９が、カウンター２の上側と下側に夫々開口するように備えられているので、これにより、上部接続部１８と給水口４とを給水管１９により接続すると共に、水接続部９と給湯器５の入水口８とを水供給管１４により接続することで、給水口４からの水を、給水管１９を介して水栓１の水室１７に供給し、続いて水栓１の水室１７から水供給管１４を介して給湯器５に供給することができる。従って、水栓１を介して、カウンター２上方の給水口４から、カウンター２に固定された水栓１と、カウンター２下方の給湯器５に水を供給することができるので、カウンター２に給水口４に接続される供給管を通すための貫通孔５７を別途穿設しなくても良く、水栓１の施工にかかる手間を簡略化することができる。
【００２８】
また、従来と比較して分岐栓５６等を廃止することができるので、施工にかかる部品点数を少なくすることができ、手間とコストを低減させることができる。また、水栓１を介して接続するので、全体的に接続管（供給管）を短くすることができ、接続管にかかるコストを低減させることができると共に、カウンター２の下側が接続管等で煩雑な感じとなるのを防止することができる。
【００２９】
以上、本発明を実施するための最良の実施形態を挙げて説明したが、本発明はこの実施の形態に限定されるものではなく、以下に示すように、本発明の要旨を逸脱しない範囲において、種々の改良及び設計の変更が可能である。
【００３０】
すなわち、上記の実施形態では、水栓１として、シングルレバー式混合水栓を示したが、これに限定するものではなく、例えば、図３に示すようなツーハンドル式混合水栓に適用することもできる。なお、図中上記実施形態と同じ構成の部分については、同一の符号を付すと共に詳細な説明は省略する。この水栓２０は、水栓２０に供給された水の流量を調節する水側ハンドル２１と、湯の流量を調節する湯側ハンドル２２とを備え、水側ハンドル２１及び湯側ハンドル２２で調節された湯水を混合して吐水口２３から吐水することができる。この水栓２０における本体部２４には、水室と連通する接続部２５（本発明の第一接続口に相当）が備えられており、この接続部２５に、給水口４に接続された給水管１９を接続することで、水室を介してカウンター２下方の給湯器に水を供給することができ、上記と同様の作用効果を奏することができる。
【図面の簡単な説明】
【００３１】
【図１】本発明の一実施形態である水栓をカウンターに取付けた状態で示す正面図である。
【図２】図１における水栓の一部を切欠くと共に拡大して示す拡大正面図である。
【図３】本発明に係る図１とは異なる形態の水栓をカウンターに取付けた状態で示す正面図である。
【図４】従来の水栓をカウンターに取付けた状態で示す正面図である。
【符号の説明】
【００３２】
１  水栓
２  カウンター
３  壁
４  給水口
５  給湯器
６  本体部
７  取付孔
８  入水口
９  水接続部（第二接続口）
１０  出湯口
１１  湯接続部
１２  操作部
１３  ナット
１４  水供給管（第二接続管）
１５  湯供給管
１６  湯室
１７  水室
１８  上部接続部（第一接続口）
１９  給水管（第一接続管）
２０  水栓
２１  水側ハンドル
２２  湯側ハンドル
２３  吐水口
２４  本体部
２５  接続部（第一接続口）
【図１】
0004657133.tif 000002
【図２】
0004657133.tif 000003
【図３】
0004657133.tif 000004
【図４】
0004657133.tif 000005